(57)【要約】【課題】スクリーンの生地種類や大きさに応じてバネ定数を適宜設定可能にしつつ、製造工場等で保管所持する捩りコイルバネの種類を少なくして保管の容易化を図るとともに、音鳴りの発生を防止し得る電動ロールスクリーンを提供する。【解決手段】電動ロールスクリーンは、中空状の巻き取りパイプ内に配置されたバランサー１１を備える。バランサーは、サイドブラケットに回転不能に結合される固定側部材１３と、巻き取りパイプに一体回転するように設けられる回転側部材１４と、回転側部材と固定側部材とを連接する心棒１５と、心棒の外周を囲繞するように配置され、一端が固定側部材に、他端が回転側部材に各々結合された捩りコイルバネ１６とを有する。捩りコイルバネを、１以上の箇所で分離し、その分離箇所に、心棒に回転自在に嵌合するバネ中継軸３１を設け、バネ中継軸の外周面に、分離した２つの分離コイルバネ３２〜３４の一端を各々装着する。【選択図】図４
2009097171.tif 000002
【特許請求の範囲】
【請求項１】
建屋の窓の上縁に沿って配置されかつ両端がそれぞれサイドブラケットにより回転自在に支持された中空状の巻き取りパイプと、この巻き取りパイプに上端が固定され、下端にウエイトバーを取り付けたスクリーンと、上記巻き取りパイプを回転駆動するモータと、上記巻き取りパイプ内に配置されたバランサーとを備え、
上記バランサーは、上記サイドブラケットに回転不能に結合される固定側部材と、巻き取りパイプに一体回転するように設けられる回転側部材と、この回転側部材と上記固定側部材とを連接する心棒と、この心棒の外周を囲繞するように配置され、一端が上記固定側部材に、他端が上記回転側部材にそれぞれ結合された捩りコイルバネとを有し、上記モータにより巻き取りパイプを回転させてスクリーンの巻き下げを行うとき、スクリーンの巻き下げ量に応じて上記捩りコイルバネがバネ反力を発生し、モータの負荷がスクリーンの巻き下げ量に拘わらず略一定になるように構成されてなるブラインド用電動ロールスクリーンにおいて、
上記捩りコイルバネは、１以上の箇所で分離されており、その分離箇所には心棒に回転自在に嵌合するバネ中継軸が設けられ、このバネ中継軸の外周面には、分離した２つの分離コイルバネの一端がそれぞれ装着されていることを特徴とするブラインド用電動ロールスクリーン。
【請求項２】
上記分離コイルバネとしては、長さの互いに異なる少なくとも３種類のものが用意されており、そのうちの２種類の分離コイルバネは、それぞれ一端に固定側部材又は回転側部材に結合するための結合部を有していて、上記捩りコイルバネの両端部を構成するようになっており、この２種類の分離コイルバネの間に、残り１種類の分離コイルバネを１つ以上配置して、あるいは全く配置せずに上記捩りコイルバネが構成されている請求項１記載のブラインド用電動ロールスクリーン。
【請求項３】
上記バネ中継軸の外周面には、２つの分離コイルバネの一端部がそれぞれ嵌り込む一対のネジ溝が形成されているとともに、中央位置に各ネジ溝に嵌り込んだ分離コイルバネの一端が当接するストッパー部が形成されている請求項１又は２記載のブラインド用電動ロールスクリーン。
【発明の詳細な説明】
【技術分野】
【０００１】
本発明は、建屋の窓に設置されるブラインド用電動ロールスクリーンに関し、特に、スクリーンの巻き下げ量に応じてバネ反力を発生してモータの負荷を軽減するためのバランサーの改良に係わる。
【背景技術】
【０００２】
従来、ブライド用電動ロールスクリーンとして、例えば特許文献１に開示されているように、建屋の窓の上縁に沿って配置されかつ両端がそれぞれサイドブラケット（サイドプレートともいう。）により回転自在に支持された中空状の巻き取りパイプと、この巻き取りパイプに上端が固定され、下端にウエイトバーを取り付けた窓ブラインドとしてのスクリーンと、上記巻き取りパイプ内の一端側に配置されたモータとを備え、このモータにより上記巻き取りパイプを正逆方向に回転させて上記スクリーンの巻き上げ又は巻き下げを行うように構成したものは知られている。
【０００３】
そして、この種の電動ロールスクリーンにおいては、モータの負荷を軽減するために、スクリーンの巻き下げ量に応じてバネ反力を発生するバランサーが巻き取りパイプ内の他端側（つまりモータの配置側と反対側）に配置して装備されており、このバランサーとしては、例えば図１２に示すようなものが従来知られている。すなわち、この従来のバランサー１００は、サイドブラケットに固定ロッド１０１を介して回転不能に結合される固定側部材１０２と、巻き取りパイプに一体回転するように嵌合して設けられる回転側部材１０３と、この回転側部材１０３と上記固定側部材１０２とを連接するパイプからなる心棒１０４と、この心棒１０４の外周を囲繞するように配置され、一端が上記固定側部材１０２に、他端が上記回転側部材１０２にそれぞれねじ止め又は係合構造により結合された捩りコイルバネ１０５とを有してなる。尚、図１２中、１０６は固定側部材１０２の外周面にベアリング１０７を介在して回転自在に装着されたバネクラウンであって、このバネクラウン１０６には巻き取りパイプの一端が嵌合するようになっている。
【特許文献１】特開平１０−４６９６１号公報
【発明の開示】
【発明が解決しようとする課題】
【０００４】
ところが、上記従来のバランサー１００では、スクリーンの生地種類や大きさ（幅寸法及び高さ寸法）によって仕様毎に捩りコイルバネ１０５の長さや線径を変えてバネ定数を適宜調整する必要があり、製造工場などでは多くの種類の捩りコイルバネを保管所持しなければならないという問題がある。
【０００５】
また、捩りコイルバネ１０５の長さが長い場合、捩りコイルバネ１０５が自重により撓んで心棒１０４に接触するため、巻き取りパイプの回転時つまりスクリーンの巻き上げ又は巻き下げ時に音鳴りが発生するという問題もある。この問題を解決するために、心棒１０４の外周面に熱収縮チューブ１０８を装着しているが、音鳴りの発生を十分に防止できていないのが実状である。
【０００６】
本発明はかかる諸点に鑑みてなされたものであり、その課題とするところは、特に、従来のバランサーの捩りコイルバネの構造を改良することにより、スクリーンの生地種類や大きさに応じてバネ定数を適宜設定可能にしつつ、製造工場などで保管所持する捩りコイルバネの種類を少なくして保管の容易化を図るとともに、音鳴りの発生を防止し得るブラインド用電動ロールスクリーンを提供せんとするものである。
【課題を解決するための手段】
【０００７】
上記の課題を解決するため、請求項１に係る発明は、ブラインド用電動ロールスクリーンとして、建屋の窓の上縁に沿って配置されかつ両端がそれぞれサイドブラケットにより回転自在に支持された中空状の巻き取りパイプと、この巻き取りパイプに上端が固定され、下端にウエイトバーを取り付けたスクリーンと、上記巻き取りパイプを回転駆動するモータと、上記巻き取りパイプ内に配置されたバランサーとを備え、上記バランサーは、上記サイドブラケットに回転不能に結合される固定側部材と、巻き取りパイプに一体回転するように設けられる回転側部材と、この回転側部材と上記固定側部材とを連接する心棒と、この心棒の外周を囲繞するように配置され、一端が上記固定側部材に、他端が上記回転側部材にそれぞれ結合された捩りコイルバネとを有し、上記モータにより巻き取りパイプを回転させてスクリーンの巻き下げを行うとき、スクリーンの巻き下げ量に応じて上記捩りコイルバネがバネ反力を発生し、モータの負荷がスクリーンの巻き下げ量に拘わらず略一定になるように構成されてなることを前提とする。そして、上記捩りコイルバネを、１以上の箇所で分離し、その分離箇所に、心棒に回転自在に嵌合するバネ中継軸を設け、このバネ中継軸の外周面に、分離した２つの分離コイルバネの一端をそれぞれ装着する構成にする。
【０００８】
この構成では、バランサーの捩りコイルバネを構成する複数の分離コイルバネを、心棒に嵌合するバネ中継軸を用いて連接することにより、スクリーンの生地種類や大きさに応じて、捩りコイルバネの長さを任意に設定してバネ定数を適宜調整することができる。しかも、分割コイルバネの種類としては、それ程多く必要としないので、その分保管が容易なものになる。また、捩りコイルバネは、その分離箇所でバネ中継軸により支持されているため、心棒と接触することは少なくなり、それに起因する音鳴りの発生を防止できることになる。
【０００９】
請求項２に係る発明は、請求項１記載のブラインド用電動ロールスクリーンにおいて、上記分離コイルバネとして、長さの互いに異なる少なくとも３種類のものを用意し、そのうちの２種類の分離コイルバネは、それぞれ一端に固定側部材又は回転側部材に結合するための結合部を有していて、上記捩りコイルバネの両端部を構成するようになっており、この２種類の分離コイルバネの間に、残り１種類の分離コイルバネを１つ以上配置して、あるいは全く配置せずに上記捩りコイルバネを構成する。この構成では、捩りコイルバネの長さを任意に設定してバネ定数を適宜調整するために、３種類の分離コイルバネを用意保管するだけで足りるので、その分実施化が図り易くなる。
【００１０】
請求項３に係る発明は、請求項１又は２記載のブラインド用電動ロールスクリーンにおいて、上記バネ中継軸の外周面に、２つの分離コイルバネの一端部がそれぞれ嵌り込む一対のネジ溝を形成するとともに、中央位置に各ネジ溝に嵌り込んだ分離コイルバネの一端が当接するストッパー部を形成する構成にする。この構成では、バネ中継軸の外周面に形成した一対のネジ溝に対し、２つの分離コイルバネの一端部をそれぞれ嵌め込むとき、各分離コイルバネは、嵌め込み進行方向には拡径変形をして嵌め込みが比較的に円滑に行われ、嵌め込み後退方向には縮径変形をして引き抜きが行われ難くなるため、バネ中継軸に対する分離コイルバネの装着を容易にかつ確実に行うことができる。
【発明の効果】
【００１１】
以上のように、本発明のブラインド用電動ロールスクリーンによれば、バランサーの捩りコイルバネを構成する複数の分離コイルバネを、心棒に嵌合するバネ中継軸を用いて連接することにより、スクリーンの生地種類や大きさに応じて、捩りコイルバネの長さを任意に設定してバネ定数を適宜調整することができる。しかも、分割コイルバネの種類は、それ程多く必要としないので、保管の容易化を図ることができる。また、捩りコイルバネは、その分離箇所でバネ中継軸により支持されているため、心棒との接触による音鳴りの発生を防止することができる。
【００１２】
特に、請求項２に係る発明では、捩りコイルバネの長さを任意に設定してバネ定数を適宜調整するために、３種類の分離コイルバネを用意保管するだけで足りるので、実施化を図る上で有利なものである。
【００１３】
また、請求項３に係る発明では、バネ中継軸の外周面に形成した一対のネジ溝に対し、２つの分離コイルバネの一端部をそれぞれ嵌め込むとき、各分離コイルバネは、嵌め込み進行方向には拡径変形をして嵌め込みが比較的に円滑に行われ、嵌め込み後退方向には縮径変形をして引き抜きが行われ難くなるため、バネ中継軸に対する分離コイルバネの装着を容易にかつ確実に行うことができ、組立作業の効率化に寄与することができる。
【発明を実施するための最良の形態】
【００１４】
以下、本発明を実施するための最良の形態である実施形態を図面に基づいて説明する。
【００１５】
図１は本発明の一実施形態に係るブラインド用電動ロールスクリーンＡの全体構成を示す。この電動ロールスクリーンＡは、建屋の窓の上縁に沿って配置される巻き取りパイプ１を備えており、この巻き取りパイプ１の両端は、それぞれ左右のサイドブラケット２Ｌ，２Ｒにより回転自在に支持されている。各サイドブラケット２Ｌ，２Ｒの上端は、建屋の天井又は側壁に取り付けた取付フレーム３に連結されており、この取付フレーム３の内側には制御盤４が取り付けられている。尚、図１ではサイドブラケット２Ｌ，２Ｒが外部に露見した状態で表示しているが、実際はサイドブラケット２Ｌ，２Ｒの外側面はそれぞれブラケットカバー５（左側のサイドブラケット２Ｌの場合図２及び図３参照）により覆われている。
【００１６】
上記巻き取りパイプ１内には、図中右側のサイドブラケット２Ｒ寄りの位置にモータ６、減速機７及び駆動輪８が配置され、モータ６の回転力を減速機７で減速した後駆動輪８を介して巻き取りパイプ１に伝達して巻き取りパイプ１を回転駆動するように構成されている。また、巻き取りパイプ１には、横幅が巻き取りパイプ１の長さよりも若干小さいブラインド用の生地からなるスクリーン９の上端が固定されており、このスクリーン９の下端にはウエイトバー１０が取り付けられている。そして、上記モータ５により巻き取りパイプ１を正逆方向に回転させて上記スクリーン９の巻き上げ又は巻き下げを行うようになっている。  
【００１７】
また、上記巻き取りパイプ１内には、図２にも示すように、図中左側のサイドブラケット２Ｌ寄りの位置にバランサー１１が配置されている。このバランサー１１は、図４に詳示するように、上記サイドブラケット２Ｌに固定ロッド１２を介して回転不能に結合される固定側部材１３と、巻き取りパイプ１に一体回転するように設けられる回転側部材１４と、この回転側部材１４と上記固定側部材１３とを連接する心棒１５と、この心棒１５の外周を囲繞するように配置され、一端が上記固定側部材１３に、他端が上記回転側部材１４にそれぞれ結合された捩りコイルバネ１６とを有し、上記モータ６により巻き取りパイプ１を回転させてスクリーン９の巻き下げを行うとき、スクリーン９の巻き下げ量に応じて上記捩りコイルバネ１６がバネ反力を発生し、モータ６の負荷がスクリーン９の巻き下げ力に拘わらず略一定に、望ましくは零付近で略一定になるように構成されている。
【００１８】
上記固定側部材１３は、小径部１３ａと大径部１３ｂとからなる段差を有する円柱状のものであり、この固定側部材１３の中心線上に上記固定ロッド１２が貫通して設けられている。この固定ロッド１２は、図５に明示するように、少なくとも外端部１２ａが断面矩形状に形成され、その外端部１２ａを、図３に示す如くサイドブラケット２Ｌの支持部２１に設けた矩形状の挿入孔２２に挿入することにより、固定ロッド１２を介して固定側部材１３がサイドブラケット２Ｌに回転不能に結合される。また、固定側部材１３の大径部１３ｂの外端部にはベアリング２３を介在してバネクラウン２４が回転自在に装着され、このバネクラウン２４の外周面には巻き取りパイプ１の一端が嵌合して支持されている。
【００１９】
上記回転側部材１４は、円筒状の小径部１４ａと、この小径部１４の底面を構成する大径部１４ｂとからなる。この回転側部材１４の大径部１４ｂは、図６に示すように、巻き取りパイプ１内に嵌合するように円周方向に沿って凸部１４ｃと凹部１４ｄとが交互に４つずつ形成されているとともに、最も凹み量の大きい凹部１４ｄには捩りコイルバネ１６の一端を固定するための掛け止め部１４ｅが形成されている。
【００２０】
上記心棒１５はパイプからなり、この心棒１５の一端は、上記固定側部材１３の小径部１３ａに嵌合して固定されている。また、心棒１５の他端は、上記回転側部材１４の小径部１４ａ内に挿入されているとともに、剛球２５を介在して回転側部材１４の大径部１４ｂに形成した半球面状の凹曲面２６に当接するようになっている。
【００２１】
そして、本発明の特徴点として、上記捩りコイルバネ１６は、１以上の箇所、図４では２箇所で分離されており、その分離箇所にはそれぞれ心棒１５に回転自在に嵌合するバネ中継軸３１，３１が設けられ、この各バネ中継軸３１の外周面には、分離した２つの分離コイルバネ３２と３３又は３３と３４の一端がそれぞれ装着されている。この分離コイルバネ３２〜３４としては、本実施形態の場合、図７ないし図９に詳示するように、長さの互いに異なる３種類のものが用意されており、そのうちの２種類の分離コイルバネ３２，３４は、それぞれ一端に固定側部材１３又は回転側部材１４に結合するためのリング状又はフック状の結合部３５又は３６を有していて、上記捩りコイルバネ１６の両端部を構成するようになっており、この２種類の分離コイルバネ３２，３４の間に、残り１種類の分離コイルバネ３３を１つ以上配置して、あるいは全く配置せずに上記捩りコイルバネ１６が構成されている。
【００２２】
上記３種類の分離コイルバネ３２〜３４のうち、固定側部材１３寄りの分離コイルバネ３２は、その一端部を固定側部材１３の大径部１３ｂの外周面に嵌め込むとともに、結合部３５をネジ３７止めすることにより固定側部材１３に結合されている。また、回転側部材１４寄りの分離コイルバネ３４は、その一端部を回転側部材１４の小径部１４ａの外周面に嵌め込むとともに、結合部３６を回転側部材１４の掛け止め部１４ｅに掛け止めすることにより回転側部材１４に結合されている。
【００２３】
一方、上記バネ中継軸３１の外周面には、図１０及び図１１に詳示するように、２つの分離コイルバネ３２〜３４の一端部がそれぞれ嵌り込む一対のネジ溝３８，３８が形成されているとともに、中央位置に各ネジ溝３８に嵌り込んだ分離コイルバネ３２〜３４の一端が当接するストッパー部３９，３９が形成されている。そして、このバネ中継軸３１の外周面に２つの分離コイルバネ３２〜３４の一端部をそれぞれ装着するときには、各分離コイルバネ３２〜３４の一端がストッパー部３９に当接する位置にまで各分離コイルバネ３２〜３４をネジ溝３８に沿って嵌め込むことにより、各分離コイルバネ３２〜３４の装着が行われるようになっている。
【００２４】
尚、図４中、４１は３種類の分離コイルバネ３２〜３４のうち、長さが最も長い分離コイルバネ３２に対応して心棒１５の外周面に装着された熱収縮チューブである。
【００２５】
次に、上記実施形態の作用効果を説明するに、スクリーン９の生地種類や大きさに応じて、バランサー１１の捩りコイルバネ１６のバネ定数を調整する場合、捩りコイルバネ１６を構成する３種類の分離コイルバネ３２〜３４のうち、それぞれ一端に結合部３５，３６を有する２種類の分離コイルバネ３２，３４を選択し、この各分離コイルバネ３２，３４の結合部３５，３６をバランサー１１の固定側部材１３又は回転側部材１４に結合して装着し、この両分離コイルバネ３２，３４の間に、残り１種類の分離コイルバネ３３を１つ以上配置して、あるいは全く配置せずに捩りコイルバネ１６の長さを設定するとともに、心棒１５に嵌合するバネ中継軸３１を１つ以上用いて隣接する２つの分離コイルバネ３２〜３４同士を接続することにより、バネ定数を適宜調整した上で捩りコイルバネ１６を構成することができる。
【００２６】
しかも、上記捩りコイルバネ１６は、３種類の分離コイルバネ３２〜３４と１種類のバネ中継軸３１を用意するだけで足り、従来の如く仕様毎に長さの異なる多種類のコイルバネを用意する必要がないので、保管の容易化を図ることができる。また、捩りコイルバネ１６は、分離コイルバネ３２〜３４同士の接続箇所でバネ中継軸３１により支持されているため、捩りコイルバネ１６の撓み変形による心棒１５との接触を抑制することができ、接触に起因する音鳴りの発生を防止することができる。
【００２７】
さらに、上記バネ中継軸３１の外周面に形成した一対のネジ溝３８，３８に対し、２つの分離コイルバネ３２〜３４の一端部をそれぞれ嵌め込むとき、各分離コイルバネ３２〜３４は、嵌め込み進行方向には拡径変形をして嵌め込みが比較的に円滑に行われ、嵌め込み後退方向には縮径変形をして引き抜きが行われ難くなるため、バネ中継軸３１に対する分離コイルバネ３２〜３４の装着を容易にかつ確実に行うことができ、組立作業の効率化に寄与することができる。
【００２８】
尚、本発明は上記実施形態に限定されるものではなく、その他種々の形態を包含するものである。例えば上記実施形態では、捩りコイルバネ１６を構成する分離コイルバネとして、長さの互いに異なる３種類のものを用いる構成としてが、本発明は、長さだけでなく線径の異なる３種類以上のものを用いて構成してもよいは勿論である。
【００２９】
また、上記実施形態では、巻き取りパイプ１内の右側にモータ６及び減速機７などを配置し、巻き取りパイプ１内の左側にバランサー１１を配置してなるブラインド用電動ロールスクリーンに適用した場合について述べたが、本発明は、この場合に限らず、巻き取りパイプ１内の左側にモータ及び減速機などを配置し、巻き取りパイプ１内の右側にバランサーを配置してなるブラインド用電動ロールスクリーン、あるいはモータが巻き取りパイプ１内ではなく、巻き取りパイプ１を支持する一方のサイドブラケットに設けられ、巻き取りパイプ１内にバランサーを配置してなるブラインド用電動ロールスクリーンなどにも同様に適用することができる。
【図面の簡単な説明】
【００３０】
【図１】本発明の実施形態に係るブラインド用電動ロールスクリーンの全体構成図である。
【図２】上記電動ロールスクリーンの巻き取りパイプの左側部分を切開して見た正面図である。
【図３】（ａ）は左側のサイドブラケット及びブラケットカバーの正面図、（ｂ）同じく一部切開側面図である。
【図４】バランサーの縦断面図である。
【図５】図４のＸ−Ｘ線に沿って見た矢視図である。
【図６】図４のＹ−Ｙ線に沿って見た矢視図である。
【図７】（ａ）は固定側部材寄りの分離コイルバネの正面図、（ｂ）は同じく左側面図、（ｃ）は同じく右側面図である。
【図８】（ａ）は中間の分離コイルバネの正面図、（ｂ）は同じく左側面図、（ｃ）は同じく右側面図である。
【図９】（ａ）は回転側部材寄りの分離コイルバネの正面図、（ｂ）は同じく左側面図、（ｃ）は同じく右側面図である。
【図１０】（ａ）はバネ中継軸の正面図、（ｂ）は同じく左側面図である。
【図１１】図１０（ａ）のＺ−Ｚ線における断面図である。
【図１２】従来例を示す図４相当図である。
【符号の説明】
【００３１】
Ａ    ブラインド用電動ロールスクリーン
１    巻き取りパイプ
２Ｌ，２Ｒ    サイドブラケット
６    モータ
９    スクリーン
１０    ウエイトバー
１１    バランサー
１３    固定側部材
１４    回転側部材
１５    心棒
１６    捩りコイルバネ
３１    バネ中継軸
３２，３３，３４    分離コイルバネ
３５，３６    結合部
３８    ネジ溝
３９    ストッパー部
【図１】
2009097171.tif 000003
【図２】
2009097171.tif 000004
【図３】
2009097171.tif 000005
【図４】
2009097171.tif 000006
【図５】
2009097171.tif 000007
【図６】
2009097171.tif 000008
【図７】
2009097171.tif 000009
【図８】
2009097171.tif 000010
【図９】
2009097171.tif 000011
【図１０】
2009097171.tif 000012
【図１１】
2009097171.tif 000013
【図１２】
2009097171.tif 000014